(57)【要約】【課題】パーソナルコンピューターに使用するＬＡＮケーブルの端部のモジュラープラグを差し込むためのモジュラー中継コンセントであって、モジュラージャックのように壁に埋め込んで装着される主として壁埋め込み型のモジュラー中継コンセントに関し、特に家庭内で使用する場合に、ＬＡＮケーブルをサーバとパーソナルコンピュータとに接続する作業を、専門的な技術を要することなく、簡易に且つワンプッシュの作業で行うことのできるモジュラー中継コンセントを提供することを課題とする。【解決手段】ケーブル端部のモジュラープラグを水平方向から差し込むための標準差込口２と、前記水平方向から差し込まれるケーブルとは異なる別のケーブルのモジュラープラグを斜め方向又は鉛直方向から差し込むための特別差込口４とをモジュラー中継コンセントに形成したことを特徴とする。【選択図】    図１
2004171883.tif 000002
【特許請求の範囲】
【請求項１】
ケーブル端部のモジュラープラグを水平方向から差し込むための標準差込口（２）  と、前記水平方向から差し込まれるケーブルとは異なる別のケーブルのモジュラープラグを斜め方向又は鉛直方向から差し込むための特別差込口（４）  とが形成されていることを特徴とするモジュラー中継コンセント。
【請求項２】
標準差込口（２）  が、コンセント本体（１）  の正面側に形成され、特別差込口（４）  が、コンセント本体（１）  の背面側の上部に形成されている請求項１記載のモジュラー中継コンセント。
【請求項３】
特別差込口（４）  に差し込まれるモジュラープラグの差し込み方向が水平面に対して５０〜７０度の角度をなすように前記特別差込口（４）  が形成されている請求項１又は２記載のモジュラー中継コンセント。
【請求項４】
特別差込口（４）  に差し込まれるモジュラープラグの差し込み方向が水平面に対して６０度の角度をなすように前記特別差込口（４）  が形成されている請求項１又は２記載のモジュラー中継コンセント。
【発明の詳細な説明】
【０００１】
【発明の属する技術分野】
本発明は、モジュラー中継コンセント、さらに詳しくは、パーソナルコンピューターに使用するＬＡＮケーブルの端部のモジュラープラグを差し込むためのモジュラー中継コンセントであって、モジュラージャックのように壁に埋め込んで装着される主として壁埋め込み型のモジュラー中継コンセントに関する。
【０００２】
【従来の技術及び発明が解決しようとする課題】
一般に、パーソナルコンピューターの通信回線用としてツイストペアケーブルが用いられるが、複数台のパーソナルコンピュータをサーバに接続する場合に、このようなツイストペアケーブルはＬＡＮケーブルとして多数配線される。
【０００３】
このようなサーバと複数台のパーソナルコンピューターとをＬＡＮケーブルで接続して配線することは、一般には事業所等で行われるが、このようなＬＡＮケーブルをサーバとパーソナルコンピュータに接続するに際して、事業所のスペースや設置予定位置によってサーバとパーソナルコンピュータ間の寸法は一定しないため、ケーブルの寸法を予め設定することは困難である。
【０００４】
従って、一般には設置現場でサーバとパーソナルコンピュータ間の寸法に合致するようにケーブルが切断して使用されている。この場合、ケーブルの一方の端部には予めプラグを取り付けることができるが、他方の端部は現場で切断されるので、切断されるツイストペアケーブルの計８本の端子をモジュラージャック側の特定の端子にそれぞれ接続する必要がある。そして、このような計８本の端子をそれぞれモジュラージャック側の端子に接続する作業は煩雑であり、専門的な技術を要する。また、このような切断端子に現場でモジュラープラグが取り付けられる場合もあるが、いずれにしてもケーブル側端子は、モジュラージャック側の特定の端子に接続しなければならないため、作業が煩雑である点に変わりはない。
【０００５】
一方、ツイストペアケーブルの両端に予めモジュラープラグが取り付けられたＬＡＮケーブルも市販されてはいるが、所定の寸法に合致しないので、余長分を巻き取って保存する必要がある。
【０００６】
ところで、近年ではブロードバンドや高速インターネットの普及等、情報産業の技術の高度化が著しく、事業所のみならず、家庭内においても複数のパーソナルコンピューターとサーバとが設置され、ＬＡＮケーブルの配線が必要とされる時代が到来することは十分に考えられる。
【０００７】
しかし、家庭内で、上述のように切断されたツイストペアケーブルの計８本の端子を接続する作業は、非常に煩雑であり、また専門的な技術がない場合には行うことができない。
【０００８】
また両端にモジュラープラグが取り付けられたＬＡＮケーブルを使用しても、所定の寸法に合致せず、余長分を巻き取って保存することになれば、スペースが制限されている家庭の室内では支障が生ずることになる。
【０００９】
さらに、家庭でＬＡＮケーブルを配線する場合、部屋のスペース等の問題から、サーバとパーソナルコンピュータとは別々の部屋に設置されることが想定され、その場合、別々の部屋に設置されたサーバとパーソナルコンピュータとを接続するＬＡＮケーブルは、当然のことながら天井裏や家屋の内壁，外壁間の空間部等を利用して配線されることとなる。このような場合には、ＬＡＮケーブルは、上下方向や斜め方向に配線されることとなる。
【００１０】
一方、ＬＡＮケーブル端部のモジュラープラグを差し込むためのモジュラー中継コンセントの差込口は、ケーブルを床面に敷設して配線することを想定して、一般にはモジュラープラグを水平方向から差し込めるように、モジュラージャックの側面側（正面側）に形成されている。
【００１１】
従って、上述のように天井裏や家屋の内壁，外壁間の空間部等を利用して上下方向や斜め方向にＬＡＮケーブルが配線される場合、モジュラージャックに接続する位置では、ＬＡＮケーブルを曲げなければならず、ＬＡＮケーブルに無理な力が加わって作業が困難になるおそれがある。
【００１２】
また、家屋の内壁，外壁間の空間部等は奥行きが定められており、空間部のスペースも限られているので、ＬＡＮケーブルのモジュラープラグを水平方向から差し込んで取り付ける作業は必ずしも容易ではない。
【００１３】
本発明は、このような問題点を解決するためになされたもので、特に家庭内で使用する場合に、ＬＡＮケーブルをサーバとパーソナルコンピュータとに接続する作業を、専門的な技術を要することなく、簡易に且つワンプッシュの作業で行うことのできるモジュラー中継コンセントを提供することを課題とする。
【００１４】
【課題を解決するための手段】
本発明は、このような課題を解決するためになされたもので、その課題を解決するための手段は、ケーブル端部のモジュラープラグを水平方向から差し込むための標準差込口２と、前記水平方向から差し込まれるケーブルとは異なる別のケーブルのモジュラープラグを斜め方向又は鉛直方向から差し込むための特別差込口４とをモジュラー中継コンセントに形成したことである。
【００１５】
標準差込口２が、コンセント本体１の正面側に形成された場合、特別差込口４は、その反対側であるコンセント本体１の背面側の上部に形成されるのが望ましい。
【００１６】
特別差込口４は、その特別差込口４に差し込まれるモジュラープラグの差し込み方向が水平面に対して５０〜７０度の角度をなすように形成されているのが望ましく、６０度の角度をなすように形成されているのがより望ましい。
【００１７】
【発明の実施の形態】
以下、本発明の実施形態について、図面に従って説明する。
【００１８】
本実施形態のモジュラー中継コンセントのコンセント本体１は、合成樹脂製のものであり、該コンセント本体１の正面側には、図１及び図２に示すように、パーソナルコンピュータのＬＡＮケーブルの先端側に取り付けられたモジュラープラグを水平方向から差し込むための標準差込口２が形成されている。この標準差込口２は、シャッター３によって開閉自在にされている。シャッター３の略中央には、図２に示すように上向きの矢印が表示されている。
【００１９】
コンセント本体１の背面の両側には図１及び図３に示すように段差部３４，３４  が形成され、その結果、コンセント本体１の背面側は正面側よりも細く形成されている。そして、そのコンセント本体１の背面側の上部に、パーソナルコンピュータの別のＬＡＮケーブルの先端側に取り付けられたモジュラープラグを斜め上方から差し込むための特別差込口４が形成されている。この特別差込口４は、図４及び図６に示すように、その特別差込口４に差し込まれるモジュラープラグの差し込み方向が水平面に対して６０度の角度をなすように斜めに形成されている。
【００２０】
コンセント本体１は、図７に示すような、前方分割体５と後方分割体６とが合体されることにより形成されている。
【００２１】
前方分割体５の正面側には、シャッター３によって開閉自在な開口部７が形成されている。また、前方分割体５の両側面側には図３及び図５に示すように略コ字状のフランジ８，８が外向きに突出されている。さらに、このフランジ８，８には、図１及び図２に示すように後述する設置時においてカバー体２９を案内して係入するためのガイド溝９，９が形成されている。
また、前記フランジ８，８の前面側には外向きに小さく突出する突出部３６が形成され、その突出部３６が該フランジ８，８と隣接する部位には、設置時においてその設置箇所等に存在するプレート等を差し込んで固定するための溝部３７が形成されている。
【００２２】
また、前方分割体５の背面側下部には、図７及び図８に示すようにコンセント本体１の底面１０を形成する底面形成体１１が外向きに突設されている。この底面形成体１１の側面側には、図７に示すように外側立上り片２３と内側立上り片２４とが形成されており、該外側立上り片２３には孔１２が穿設されている。
【００２３】
さらに、前方分割体５のフランジ８，８の背面側には、図８に示すように係入片１３が外向きに突設され、該係入片１３の先端に係合突起１４が形成されている。
【００２４】
前記モジュラープラグを斜め上方から差し込むための特別差込口４は、後方分割体６の背面側の上部に形成されている。また後方分割体６の正面側には、図７及び図８に示すように前記モジュラープラグを水平方向から差し込むための標準差込口２を形成するための標準差込口形成体１５が外向きに突設されている。
【００２５】
そして、該標準差込口形成体１５の下面には、図８に示すように集積回路を具備した基板１６が止具１７で固着されている。
【００２６】
さらに、後方分割体６の両側面側には、図７及び図８に示すように前記略コ字状のフランジ８，８に対面するフランジ１８，１８  が外向きに突出されている。そして、このフランジ１８，１８  にも、後述するカバー体２９を案内して係入するためのガイド溝１９，１９  が形成されている。また、該フランジ１８，１８  には、図７に示すように前記前方分割体５の係入片１３が係入される孔２０，２０  が穿設されている。さらに後方分割体６の内面側には、図８に示すように前記前方分割体５の孔１２に差し込まれる突起２１が内向きに突設されている。
【００２７】
特別差込口４の内面側には、図３に示すように接続端子２２が設けられている。このような接続端子は、図示しないが、前面側の標準差込口２の内部にも設けられている。
【００２８】
本実施形態のモジュラー中継コンセントのコンセント本体１は、上記のような前方分割体５と後方分割体６とを合体させて構成されたものである。より具体的には、前方分割体５の底面形成体１１の外側立上り片２３を、後方分割体６の内面側でガイドさせながら、フランジ８，８とフランジ１８，１８  とが対面するように前方分割体５と後方分割体６とを近接させる。
【００２９】
そして、前方分割体５のフランジ８，８と後方分割体６のフランジ１８，１８  とを接触させると、前方分割体５の係入片１３が後方分割体６の孔２０に係入され、その係入片１３の係合突起１４が後方分割体６のフランジ１８の背面側に係止されることとなる。また、後方分割体６の突起２１が、前方分割体５の孔１２に差し込まれることとなる。これによって、前方分割体５と後方分割体６とは、不用意に分離することなく合体されることとなる。
このとき、基板１６は、底面形成体１１の内側立上り片２４の上面で保持されることとなり、それによって基板１６が位置決めされることとなる。
【００３０】
次に、上記のような構成からなるモジュラー中継コンセント３５を使用する場合の一例について説明する。
【００３１】
本実施形態のモジュラー中継コンセント３５は、家庭用として、たとえば家屋の複数の部屋のいずれか１つの部屋にサーバやハブ等が設置され、他の複数の部屋にパーソナルコンピュータが設置されているような場合に使用される。
【００３２】
より具体的に説明すると、図９及び図１０に示すように、家屋の内壁２５と外壁２６との間の空間部２７内にコンセント本体１が存在し、標準差込口２及びシャッター３が設けられたコンセント本体１の前面側が、内壁２５の内側に面する部屋側に裸出するように取り付けられる。この場合、コンセント本体１の前面側は、プレート２８に嵌め込まれることとなる。
【００３３】
また、前記空間部２７内に位置するコンセント本体１は、カバー体２９で包囲されることとなる。具体的には、カバー体２９の一部がフランジ８，１８の溝部９，１９内に差し込まれることによって、カバー体２９がコンセント本体１に取り付けられ、それによってコンセント本体１がカバー体２９に包囲されるのである。
このとき、図示はしないが、設置箇所に存在するプレート等が前記溝部３７に差し込まれることとなる。
【００３４】
そして、コンセント本体１のシャッター３を持ち上げて標準差込口２を開口させ、その標準差込口２に図１１及び図１２に示すようにＬＡＮケーブル３０のモジュラープラグ３２を差し込む。この場合は、内壁２５の内側の部屋に設置されたパーソナルコンピュータのモジュラープラグが標準差込口２に差し込まれることとなる。
【００３５】
一方、サーバに接続されたＬＡＮケーブル３１は、そのサーバが設置された部屋から、前記内壁２５と外壁２６との間の空間部２７に取り出されて配線され、その空間部２７に配線されたＬＡＮケーブル３１のモジュラープラグ３３が、図１１及び図１２に示すように前記のようなコンセント本体１の背面側上部の特別差込口４に差し込んで接続されることとなる。
【００３６】
具体的には、たとえばサーバが設置された部屋が２階で、パーソナルコンピュータが設置された部屋が１階の場合に、ＬＡＮケーブル３１はその２階の部屋から内壁を介して一旦空間部内に取り出され、天井裏から階下の空間部２７内に下向きに通過するように配線されて、上述のようにジャック本体１の背面側上部の特別差込口４に差し込まれることとなる。
【００３７】
この場合において、家屋の内壁２５と外壁２６間の空間部２７は、一般に奥行きが狭く形成されてスペースが限定されているが、コンセント本体１の背面側上部の特別差込口４は、その特別差込口４に差し込まれるモジュラープラグの差し込み方向が水平面に対して６０度の角度をなすように斜めに形成されているため（換言すれば垂直面に対して３０度の角度をなして形成されている）、上述のように階上の部屋から階下の部屋に向かってＬＡＮケーブル３１が下向きに通過して配線される場合に、ＬＡＮケーブル３１を極端に曲げる必要がないので、コンセント本体１の特別差込口４へのプラグの差し込みを容易に行うことができることとなる。
【００３８】
このように、本実施形態においては、１つのモジュラー中継コンセント３５に、ＬＡＮケーブルを水平方向から差し込むことのできる標準差込口２と、背面側の斜め上方から差し込むことのできる特別差込口４との２つの差込口を設けたため、上述のように、水平方向から差し込むことのできる標準差込口２が１つの部屋の内壁２５に面し、背面側の斜め上方から差し込むことのできる特別差込口４が内壁２５と外壁２６との間の空間部２７内に位置するように取り付けることで、１つの部屋のパーソナルコンピュータのＬＡＮケーブルをモジュラー中継コンセントに接続するとともに、その部屋の階上の部屋に設置されたサーバ，ハブ等に接続されているＬＡＮケーブルを、該階上の部屋から内壁２５と外壁２６との間の空間部２７を下向きに通過するように配線して上記モジュラー中継コンセントに接続することができ、その結果、家屋における階上の部屋のサーバと、階下のパーソナルコンピュータとを、本実施形態のモジュラー中継コンセントを介してＬＡＮケーブルで接続することができる。
【００３９】
特に、背面側上部の特別差込口４は、その特別差込口４に差し込まれるモジュラープラグの差し込み方向が水平面に対して６０度の角度をなすように形成されているので、上記家屋の内壁２５と外壁２６との間の空間部２７のように奥行きが狭く、限られたスペースの場所であっても、ワンプッシュの作業でサーバからのＬＡＮケーブルを接続することができる。
【００４０】
このように、１つのモジュラー中継コンセントが、１つの部屋のパーソナルコンピュータからのＬＡＮケーブルの接続と、別の部屋のサーバ，ハブ等からのＬＡＮケーブルの接続との双方を行うことができるので、家屋の構造上における各部屋の寸法や、内壁２５と外壁２６間の空間部２７における階下と階上との距離等が予め設定されていれば、接続すべきＬＡＮケーブルの寸法もおよそ設定することが可能となる。
【００４１】
その結果、現場でＬＡＮケーブルにプラグを取り付けるという現場での端末加工を行うことなく、予めプラグを両端に接続して端末加工を施したＬＡＮケーブルをそのまま用いることができ、しかも家屋の構造に基づいて設置される部屋の寸法、階下，階上間の寸法等に応じてＬＡＮケーブルの寸法を設定しておくことで、余長分が生じてＬＡＮケーブルを巻き取る必要もない。
【００４２】
この結果、サーバ等と各パーソナルコンピュータとの接続を、専門的技術を要することなく家庭内で簡易に且つワンプッシュの作業で行うことができるのである。
【００４３】
尚、上記実施形態では、モジュラー中継コンセントを１個のみ設置する場合について説明したが、設置するモジュラー中継コンセントの個数は１個に限定されるものではなく、たとえばプレート２８が設置された同じ箇所に上記モジュラー中継コンセントが２個設置されていてもよく、その個数は問わない。
【００４４】
このように複数個設置する場合でも、上記のように背面側上部の特別差込口４は、その特別差込口４に差し込まれるモジュラープラグの差し込み方向が水平面に対して６０度の各度をなすように形成されているので、ＬＡＮケーブルをサーバ等と各部屋のパーソナルコンピュータとに簡易な作業で接続することができる。
【００４５】
また、このようにモジュラー中継コンセントが複数個接続されていれば、１つのモジュラー中継コンセントをパーソナルコンピュータ用として使用し、他のモジュラー中継コンセントを電話回線接続用として使用することもできるという効果がある。
【００４６】
さらに、上記実施形態では、モジュラー中継コンセントを斜め上方から差し込む特別差込口４は、その特別差込口４に差し込まれるモジュラープラグの差し込み方向が水平面に対して６０度の角度をなすように形成されていたため、上記のような好ましい効果が得られたが、この角度も上記実施形態に限定されるものではない。
【００４７】
ただし、上記のように階上から階下へ向かってＬＡＮケーブルを配線して設置するような場合に、特別差込口４に差し込まれるモジュラープラグの差し込み方向が水平方向に対して５０〜７０度の角度をなすように特別差込口４が形成されている場合には、内壁２５、外壁２６間の空間部２７の奥行きが限定されているにもかかわらず、モジュラー中継コンセントへのプラグの接続を容易に行うことができ、特に６０度の場合には非常に好適に行うことができる。
【００４８】
さらに、斜め方向からに限らず、モジュラープラグを鉛直方向から差し込むように特別差込口４を形成することも可能である。
ただし、鉛直方向から差し込む場合には、モジュラー中継コンセントの形状や近辺の取付構造によって、ＬＡＮケーブルの配線上の支障が生ずるおそれがあるので、この点を考慮する必要がある。
【００４９】
さらに、上記実施形態では、特別差込口４がコンセント本体１の背面側の上部に形成されていたため、内壁２５の内側からモジュラー中継コンセントに差し込まれるＬＡＮケーブル３０のモジュラープラグ３２と、内壁２５の外側、すなわち内壁２５、外壁２６間の空間部２７内においてモジュラー中継コンセントに差し込まれるＬＡＮケーブル３１のモジュラープラグ３３とが、それぞれ反対方向から差し込まれることとなるので、その差し込みの作業を好適に行うことができるという好ましい効果が得られたが、特別差込口４を形成する位置はがコンセント本体１の背面側上部に限定されるものではない。
【００５０】
さらに、上記実施形態では、コンセント本体１が、前方分割体５と後方分割体６とを合体することによって形成されていたが、このように２つの分割体で構成されている必要は必ずしもなく、たとえば全体が一体形成されたようなものであってもよい。ただし、上記のように２つの分割体で構成されていることで、それぞれの分割体の成形が容易となり、コンセント本体１の製作も容易となる。
【００５１】
さらに、コンセント本体１の形状も上記実施形態に限定されるものではなく、またその材質も上記実施形態の合成樹脂に限定されない。
【００５２】
さらに、上記実施形態では、コンセント本体１の外側にフランジ８，１８を突設させ、そのフランジ８，１８にガイド溝９，１９を形成したため、ガイド溝９，１９にカバー体２９を係止させることで、モジュラー中継コンセントがカバー体２９で包囲されて保護されるという好ましい効果が得られたが、このようなガイド溝９，１９を形成することは本発明に必須の条件ではない。
【００５３】
その他、モジュラー中継コンセントの各構成も上記実施形態に限定されるものではなく、本発明の意図する範囲内で設計変更自在である。
【００５４】
さらに、上記実施形態では、家庭内でのサーバと複数台のパーソナルコンピュータとを接続するＬＡＮ配線のためのモジュラー中継コンセントに使用する場合について説明したが、本発明のモジュラー中継コンセントの用途は該実施形態のような家庭用に限定されるものではなく、事業所等に設置する場合に用いることも可能である。
【００５５】
【発明の効果】
以上のように、本発明は、ケーブル端部のモジュラープラグを水平方向から差し込むための標準差込口と、前記水平方向から差し込まれるケーブルとは異なる別のケーブルのモジュラープラグを斜め方向又は鉛直方向から差し込むための特別差込口とを１つのモジュラー中継コンセントに形成したものであるため、標準差込口には、たとえば１つの部屋に設置されたパーソナルコンピュータのＬＡＮケーブルを接続し、特別差込口には、たとえば別の部屋に設置されたサーバ等から家屋の内壁と外壁との間の空間部等、奥行きが狭く、限られたスペースの場所で配置されるＬＡＮケーブルを斜め方向から接続することができ、この結果、たとえば家屋における１つの部屋のサーバ等と、別のフロアの部屋のパーソナルコンピュータとを、上記のようなモジュラー中継コンセントを介してＬＡＮケーブルで接続することができ、その結果、このようなサーバと複数台のパーソナルコンピュータとのＬＡＮ配線を家庭においても専門的技術を要することなく簡易に且つワンプッシュの作業で行うことができるという効果がある。
【００５６】
さらに、特別差込口に差し込まれるモジュラープラグの差し込み方向が、水平面に対して５０〜７０度の角度をなすように特別差込口が形成されている場合には、上記のように家屋等の階上から階下へ向かってケーブルを配線して設置するような場合に、内壁，外壁間の空間部の奥行きが限定されているにもかかわらず、モジュラー中継コンセントへのプラグの接続を容易に行うことができる効果がより良好となり、特に特別差込口に差し込まれるモジュラープラグの差し込み方向が水平面に対して６０度の角度をなすように形成されている場合には、この効果は一層良好となる。
【００５７】
また、特別差込口を、コンセント本体の背面側の上部に設けた場合には、、内壁の内側からモジュラー中継コンセントに差し込まれるケーブルのモジュラープラグと、内壁の外側、すなわち内壁，外壁間の空間部内においてモジュラー中継コンセントに差し込まれるケーブルのモジュラープラグとが、それぞれ反対方向から差し込まれることとなるので、その差し込みの作業を好適に行うことができるという効果がある。
【図面の簡単な説明】
【図１】一実施形態としてのモジュラー中継コンセントの斜視図。
【図２】同正面図。
【図３】同平面図。
【図４】同側面図。
【図５】同底面図。
【図６】図２のＡ−Ａ線断面図。
【図７】同分解斜視図。
【図８】同分解側面図
【図９】モジュラー中継コンセントを取り付けた状態の概略側面図。
【図１０】同概略平面図。
【図１１】ＬＡＮケーブルをモジュラー中継コンセントに接続した状態の概略側面図。
【図１２】同概略平面図。
【符号の説明】
１…コンセント本体          ２…標準差込口
４…特別差込口
【図１】
2004171883.tif 000003
【図２】
2004171883.tif 000004
【図３】
2004171883.tif 000005
【図４】
2004171883.tif 000006
【図５】
2004171883.tif 000007
【図６】
2004171883.tif 000008
【図７】
2004171883.tif 000009
【図８】
2004171883.tif 000010
【図９】
2004171883.tif 000011
【図１０】
2004171883.tif 000012
【図１１】
2004171883.tif 000013
【図１２】
2004171883.tif 000014